【手続補正書】
【提出日】平成17年4月14日(2005.4.14)
【手続補正１】
【補正対象書類名】明細書
【補正対象項目名】全文
【補正方法】変更
【補正の内容】
【書類名】      明細書
【発明の名称】  記録媒体及び再生装置
【特許請求の範囲】
【請求項１】  ディスク状の基体と、この基体の主面部上に形成された信号記録層とを備えた記録媒体であって、
上記信号記録層には、第１の情報信号に応じた位置に、第２の情報信号に応じた深さを有するピットが形成されており、
上記第１の情報信号は、上記基体の主面部に略垂直に入射された光束の反射光束によって上記ピットの有無を検出することによって読み出され、
上記第２の情報信号は、上記基体の主面部に略垂直に入射され上記ピット内より該基体の主面部に略平行な方向に導かれた光によって上記ピットの深さを検出することによって読み出されることを特徴とする記録媒体。
【請求項２】  上記信号記録層には、上記基体の主面部に略垂直に入射された光束を上記ピット内より該基体の主面部に略平行な方向に導く互いに深さの異なる複数の光ファイバが埋設されており、
上記各光ファイバの出射端における出射光の有無によって、上記ピットの深さが検出されることを特徴とする請求項１記載の記録媒体。
【請求項３】  上記信号記録層は、光透過性を有する材料により形成され、
上記各ピットの底部には、上記基体の主面部に対して傾斜された光反射部材が配設されており、
上記光反射部材は、上記基体の主面部に略垂直に入射された光束を反射して該主面部に略平行な方向に偏向させ、上記信号記録層内を経て外方に出射させることを特徴とする請求項１記載の記録媒体。
【請求項４】  上記信号記録層は、光透過性を有する材料により形成され、
上記各ピットの底部は、上記基体の主面部に対して傾斜された光反射部となされており、
上記光反射部は、上記基体の主面部に略垂直に入射された光束を反射して該主面部に略平行な方向に偏向させ、上記信号記録層内を経て外方に出射させることを特徴とする請求項１記載の記録媒体。
【請求項５】  上記基体の主面部に略垂直に入射され上記ピット内より該基体の主面部に略平行な方向に導かれた光の出射端は、上記信号記録層の外周縁部であることを特徴とする請求項１記載の記録媒体。
【請求項６】  上記基体の主面部に略垂直に入射され上記ピット内より該基体の主面部に略平行な方向に導かれた光の出射端は、上記基体の中心部に形成されこの基体を支持するための透孔の内周縁部であることを特徴とする請求項１記載の記録媒体。
【請求項７】  ディスク状の基体とこの基体の主面部上に形成された信号記録層とを備えた記録媒体が装着され、この記録媒体から情報信号の読出しを行う再生装置であって、
上記信号記録層に対し、上記基体の主面部に略垂直に光束を入射させ、この光束の該信号記録層からの反射光束により、該信号記録層におけるピットの有無を検出することによって第１の情報信号の読出しを行う第１の読出手段と、
上記信号記録層に対し、上記基体の主面部に略垂直に光束を入射させ、この光束が上記ピット内より該基体の主面部に略平行な方向に導かれた光により、該信号記録層におけるピットの深さを検出することによって上記第１の情報信号と異なる第２の情報信号の読出しを行う第２の読出手段とを備えたことを特徴とする再生装置。
【請求項８】  装着される記録媒体の信号記録層は、上記基体の主面部に略垂直に入射された光束を上記ピット内より該基体の主面部に略平行な方向に導く互いに深さの異なる複数の光ファイバが埋設されたものであり、
上記第２の読出手段は、上記各光ファイバの出射端における出射光の有無によって、上記ピットの深さを検出することを特徴とする請求項７記載の再生装置。
【請求項９】  上記第２の読出手段は、上記信号記録層の外周縁部において、上記ピット内より上記基体の主面部に略平行に導かれた光を検出することを特徴とする請求項８記載の再生装置。
【請求項１０】  上記第２の読出手段は、上記基体の中心部に形成されこの基体を支持するための透孔の内周縁部において、上記ピット内より上記基体の主面部に略平行に導かれた光を検出することを特徴とする請求項８記載の再生装置。
【請求項１１】  装着される記録媒体の信号記録層は、光透過性を有する材料により形成され、上記各ピットの底部には、上記基体の主面部に対して傾斜された光反射部材が配設されており、上記基体の主面部に略垂直に入射された光束を該光反射部材により反射して該主面部に略平行な方向に偏向させ、上記信号記録層内を経て外方に出射させるものであって、
上記第２の読出手段は、上記各光反射部材によって反射された光の信号記録層からの出射位置によって、上記ピットの深さを検出することを特徴とする請求項７記載の再生装置。
【請求項１２】  装着される記録媒体の信号記録層は、光透過性を有する材料により形成され、上記各ピットの底部は、上記基体の主面部に対して傾斜された光反射部となされており、上記基体の主面部に略垂直に入射された光束を該光反射部により反射して該主面部に略平行な方向に偏向させ、上記信号記録層内を経て外方に出射させるものであって、
上記第２の読出手段は、上記各光反射部によって反射された光の信号記録層からの出射位置によって、上記ピットの深さを検出することを特徴とする請求項７記載の再生装置。
【発明の詳細な説明】
【０００１】
【発明の属する技術分野】
本発明は、情報信号が記録される記録媒体及びこの記録媒体より情報信号を読み出す再生装置に関する。
【０００２】
【従来の技術】
情報信号が記録されるための種々の記録媒体が提案され、また、このような記録媒体より情報信号を読み出す再生装置が提案されている。例えば、いわゆる「ＣＤ（コンパクトディスク）」（商標名）や「ＣＤ−Ｒ」（商標名）などの記録媒体は、図１２に示すように、ポリカーボネイト（Ｐｏｌｙｃａｒｂｏｎａｔｅ）からなるディスク基体１０１を有し、このディスク基体１０１の主面部上に信号記録層１０２が形成されている。この信号記録層１０２は、ディスク基体１０１の反対側となる面を保護層１０３によって保護されている。この保護層１０３上には、コーティング層１０４が形成され、このコーティング層１０４の表面がラベル面１０５となっている。信号記録層１０２には、情報信号に応じた位置にピット１０６が形成されることにより、該情報信号が記録されている。
【０００３】
この記録媒体は、再生装置において、ディスク基体１０１側からこのディスク基体１０１の主面部に対して略垂直にレーザ光束を照射して信号記録層１０２上に集光させ、このレーザ光束の反射光束を検出することにより、情報信号の読出しを行うことができる。
【０００４】
このような記録媒体において、信号記録層には、記録される情報信号に応じて、いわゆるピットやランドといわれる凹凸が形成されている。そして、再生装置は、信号記録層からの反射光束の光出力を検出することにより、該信号記録層におけるピットやランドの状態（有無）を判定し、情報信号の再生（復号）を行う。
【０００５】
【発明が解決しようとする課題】
ところで、上述のような記録媒体及び再生装置は、光束を信号記録層上に集光させるための対物レンズの開口数（ＮＡ）及び該光束の波長によって、該光束が信号記録層上に集光されて形成する光スポットの大きさが決まってしまう。そして、この光スポットの大きさによって、信号記録層における記録密度が決まるため、信号記録領域の面積が決まれば、１枚の記録媒体に記録できる情報信号の容量も決まってしまう。
【０００６】
そのため、これら対物レンズの開口数（ＮＡ）、光束の波長及び媒体の大きさ（信号記録領域の面積）という条件が等しい場合においては、記録できる情報信号の容量をより大きくすることはできない。
【０００７】
そこで、本発明は、上述の実情に鑑みて提案されるものであって、対物レンズの開口数（ＮＡ）、光束の波長及び媒体の大きさを変えることなく、記録できる情報信号の容量をより大きくできる記録媒体及びこのような記録媒体から情報信号の読出しを行う再生装置を提供する。
【０００８】
【課題を解決するための手段】
上述の課題を解決するため、本発明に係る記録媒体は、ディスク状の基体とこの基体の主面部上に形成された信号記録層とを備えた記録媒体であって、信号記録層には、第１の情報信号に応じた位置に第２の情報信号に応じた深さを有するピットが形成されており、第１の情報信号は、基体の主面部に略垂直に入射された光束の反射光束によってピットの有無を検出することによって読み出され、第２の情報信号は、基体の主面部に略垂直に入射されピット内より該基体の主面部に略平行な方向に導かれた光によってピットの深さを検出することによって読み出されるものである。
【０００９】
この記録媒体は、第１の情報信号がピットの有無の検出によって読み出され、第２の情報信号がピット内より基体の主面部に略平行な方向に導かれた光によるピットの深さの検出によって読み出されるので、一の記録媒体に記録される情報信号の容量を大きくすることができる。
【００１０】
本発明に係る再生装置は、ディスク状の基体とこの基体の主面部上に形成された信号記録層とを備えた記録媒体が装着されこの記録媒体から情報信号の読出しを行う再生装置であって、信号記録層に対し基体の主面部に略垂直に光束を入射させこの光束の該信号記録層からの反射光束により該信号記録層におけるピットの有無を検出することによって第１の情報信号の読出しを行う第１の読出手段と、信号記録層に対し基体の主面部に略垂直に光束を入射させこの光束がピット内より該基体の主面部に略平行な方向に導かれた光により該信号記録層におけるピットの深さを検出することによって上記第１の情報信号と異なる第２の情報信号の読出しを行う第２の読出手段とを備えている。
【００１１】
この再生装置は、第１の読出手段によって第１の情報信号がピットの有無の検出により読み出され、第２の読出手段によって第２の情報信号がピット内より基体の主面部に略平行な方向に導かれた光によるピットの深さの検出により読み出されるので、一の記録媒体から読み出される情報信号の容量を大きくすることができる。
【００１２】
【発明の実施の形態】
以下、本発明の実施の形態を図面を参照しながら説明する。
【００１３】
〔１〕ピット検出を行うレーザ光束を付加情報として側面から出力する方式（光ファイバを用いる方式）
（１）記録媒体の構成
本発明に係る記録媒体は、図１に示すように、ポリカーボネイト（Polycarbonate）からなる透明なディスク基体１を有し、このディスク基体１の主面部上に信号記録層２が形成されている。ディスク基体１は、円盤状に形成され、中央部分にこのディスク基体１を支持するための透孔が形成されている。信号記録層２は、ディスク基体１の反対側となる面が保護層３によって保護されている。この保護層３上には、コーティング層４が形成され、このコーティング層４の表面がラベル面５となっている。
【００１４】
この記録媒体においては、信号記録層２には、第１の情報信号に応じた位置にピット６が形成されている。この第１の情報信号は、この記録媒体における主たる記録情報である。第１の情報信号は、再生装置側でディスク基体１の主面部に略垂直にディスク基板１側より入射された光束の反射光束の強度によってピット６の有無（位置）が検出されることによって読み出される。
【００１５】
各ピット６は、第２の情報信号に応じた深さを有している。この第２の情報信号は、この記録媒体における付加記録情報となる。第２の情報信号は、再生装置側でディスク基体１の主面部に略垂直に入射されピット６内より該ディスク基体１の主面部に略平行な方向に導かれた光によって該ピット６の深さが検出されることにより読み出される。
【００１６】
第１の情報信号の読出しを行う場合において、ピット６の深さが数段階（図１中では４段階）の異なるものとなっていても、ディスク基材１の主面部に略垂直に入射した光の信号記録層２における反射光束の強度は、ピット６の存在する箇所において、ピット６の深さによって異ならない。すなわち、この記録媒体においては、ピット６の深さは、（ｎ＋１／４）λ（∵ｎは整数、λは照射する光束の波長）に設定されている。したがって、このピット６の存在する箇所に照射された光は、ピット６の周囲部からの反射光とピット６の底部からの反射光との干渉により、反射強度が落ちる。この場合、上記の式中のｎがいかなる整数であっても、干渉による反射強度の落ち方は等しい。
【００１７】
なお、付加記録情報としては、主たる記録情報に関連した情報を示す文字または数字のデータ（情報信号の題名や長さなどを示すもの）や、主たる記録情報に関連した時刻を示す時刻データ（記録された時刻などを示すもの）や、主たる記録情報についてクラス分類適応処理を行うための係数データまたは係数種データなどがある。
【００１８】
この記録媒体においては、ピット６内よりディスク基体１の主面部に略平行な方向に光を導くため、信号記録層２内に、複数の光ファイバ７が埋設されている。これら光ファイバ７は、信号記録層２内において、異なる深さに位置して埋設されている。光ファイバ７の信号記録層２の表面からの深さは、例えば、ピット６の深さが４段階の異なるものとなっている場合、最も浅いピット６においては１本の光ファイバ７がピット６内に位置する深さとなされ、２番目に浅いピット６においては２本の光ファイバ７がピット６内に位置する深さとなされ、３番目に浅いピット６においては３本の光ファイバ７がピット６内に位置する深さとなされ、最も深いピット６においては４本の光ファイバ７がピット６内に位置する深さとなされている。
【００１９】
すなわち、図２に示すように、ピット６の深さが４段階の異なるものとなっている場合、後述する再生装置の光学ピックアップ装置９により、ピット６に光束が照射されていないときには、いずれの光ファイバ７にも光束が入射されず、最も浅いピット６に光束が照射されると、１本の光ファイバ７に光束が入射され、図３に示すように、２番目に浅いピット６に光束が照射されると、２本の光ファイバ７に光束が入射され、図４に示すように、３番目に浅いピット６に光束が照射されると、３本の光ファイバ７に光束が入射され、最も深いピット６に光束が照射されると、４本の光ファイバ７に光束が入射される。
【００２０】
したがって、各光ファイバ７の端面において、何本の光ファイバ７に光束が入射されているかを検出すれば、そのとき光束を照射されているピット６の深さを検出することができる。各光ファイバ７の端面は、信号記録層２の最外周縁部、または、透孔１ａの内周縁部に臨んでいる。
【００２１】
（２）情報信号の記録方法
第１の情報信号については、信号記録面２に形成するピット２の位置によって記録する。そして、このピット６の深さを数段階の異なるものとすることにより、第２の情報信号を記録する。
【００２２】
図２に示すように、ピット６の深さが４段階の異なるものとなっている場合において、後述する再生装置の光学ピックアップ装置９により、ピット６に光束が照射されていないときには、いずれの光ファイバ７にも光束が入射されず、第１の情報信号についての読出しデータは「０」となり、第２の情報信号についての読出しデータは「００００」となる。最も浅いピット６に光束が照射されると、１本の光ファイバ７に光束が入射され、第１の情報信号についての読出しデータは「１」となり、第２の情報信号についての読出しデータは「０００１」となる。図３に示すように、２番目に浅いピット６に光束が照射されると、２本の光ファイバ７に光束が入射され、第１の情報信号についての読出しデータは「１」となり、第２の情報信号についての読出しデータは「００１１」となる。図４に示すように、３番目に浅いピット６に光束が照射されると、３本の光ファイバ７に光束が入射され、第１の情報信号についての読出しデータは「１」となり、第２の情報信号についての読出しデータは「０１１１」となる。最も深いピット６に光束が照射されると、４本の光ファイバ７に光束が入射され、第１の情報信号についての読出しデータは「１」となり、第２の情報信号についての読出しデータは「１１１１」となる。
【００２３】
（３）再生装置の構成
本発明に係る再生装置は、図５に示すように、上述の記録媒体の中心部の透孔１ａに嵌入されて記録媒体を支持する回転軸８を有している。この回転軸８は、図示しないモータにより回転操作され、支持している記録媒体とともに回転する。
【００２４】
そして、この再生装置においては、回転軸８に支持された記録媒体の主面部に対向して、光学ピックアップ装置９が設けられている。この光学ピックアップ装置９は、光源と、この光源から発せられる光束を記録媒体の信号記録層上に集光させる光学系と、信号記録層からの反射光束を光学系を介して検出する光検出器とを有している。この光学ピックアップ装置９は、支持機構１０によって支持されることにより、記録媒体の径方向及び記録媒体に対する接離方向に移動可能となっている。この光学ピックアップ装置９は、光検出器により検出される光検出信号に基づいて、記録媒体の径方向（トラッキング方向）及び記録媒体に対する接離方向（フォーカス方向）について、回転される記録媒体における偏芯及びいわゆる面ぶれに追従するトラッキングサーボ動作及びフォーカスサーボ動作を行う。
【００２５】
この再生装置は、光学ピックアップ装置９に対して、連結アーム１１を介して連結されて支持された検出器１２が設けられている。この検出器１２は、高感度の光検出素子を有しており、記録媒体の外周縁部の各光ファイバ７の端面から出射される光束を検出する。この検出器１２は、支持アーム部１１を介して、光学ピックアップ装置９におけるフォーカスサーボ動作に同期して移動操作される。すなわち、この検出器１２は、記録媒体の回転に伴ういわゆる面ぶれに追従して移動操作され、常に、記録媒体の外周縁部の各光ファイバ７の端面に対向している状態とされる。
【００２６】
この検出器１２は、各光ファイバ７について個別的に光束の出射の有無を検出する。したがって、この検出器１２における光ファイバ７の本数に相当するビット数の２値信号と、光学ピックアップ装置９において読み出されるアドレス情報とを照合させることにより、記録媒体におけるピットごとの深さを検出することができる。
【００２７】
（４）再生動作
この再生装置は、検出器１２により検出されて出力される信号が、そのまま付加情報信号となる。信号記録層におけるピットの深さの段階がｎ段階あれば、ｎ（ｂｉｔ）分、すなわち２ｎ通りのデータを付加情報として読み出すことが可能である。
【００２８】
なお、この再生装置において、記録媒体として、ピット６に照射された光束がディスク基体１の主面部に略平行な方向に光ファイバ７により導かれてこの記録媒体の透孔１ａの内周縁部に出射されるものを用いる場合には、検出器１２を、回転軸８の内部に、この回転軸８とともに回転しない状態に固定して、設けるようにする。この場合には、記録媒体の透孔１ａの内周縁部の位置は回転軸８に対する高さ位置として正確な位置に位置決めされ、いわゆる面ぶれを生ずることがないので、検出器１２を光学ピックアップ装置９におけるフォーカスサーボ動作に同期させる必要はなく、固定して配置することができる。
【００２９】
〔２〕ピット検出を行うレーザ光束を付加情報として側面から出力する方式（ハーフミラー素材を用いる方式）
（１）記録媒体の構成
また、本発明に係る記録媒体は、図６に示すように、ピット６の底部に光反射部材１３を設けてもよい。すなわち、この記録媒体は、上述の記録媒体と同様に、ポリカーボネイト（Polycarbonate）からなる透明なディスク基体１及びこのディスク基体１の主面部上に形成された信号記録層２を有し、この信号記録層２のディスク基体１の反対側となる面に保護する保護層３、この保護層３上にコーティング層４を設けるようにしている。ディスク基体１は、円盤状に形成され、中央部分にこのディスク基体１を支持するための透孔１ａが形成されている。
【００３０】
この記録媒体は、信号記録層２には、第１の情報信号に応じた位置にピット６が形成されている。この第１の情報信号は、この記録媒体における主たる記録情報となるものであり、ディスク基体１の主面部に略垂直にディスク基板１側より入射された光束の反射光束の強度によって、ピット６の有無（位置）を検出することによって読み出される。
【００３１】
各ピット６は、第２の情報信号に応じた深さを有している。この第２の情報信号は、この記録媒体における付加記録情報となるものであり、ディスク基体１の主面部に略垂直に入射されピット６内より該ディスク基体１の主面部に略平行な方向に導かれた光によって該ピット６の深さを検出することにより、読み出される。
【００３２】
第１の情報信号の読出しを行う場合、ピット６の深さが数段階（図６中では３段階）の異なるものとなっていても、ディスク基材１の主面部に略垂直に入射した光の信号記録層２における反射光束の強度は、ピット６の存在する箇所において、ピット６の深さによって異ならない。すなわち、この記録媒体においては、ピット６内に入射された光束は、後述するように、ピット６の底部に設けられた光反射部材１３によってディスク基体１の主面部に略平行な方向に光を導かれ、入射側に戻ることがないからである。
【００３３】
また、付加記録情報として、主たる記録情報に関連した情報を示す文字または数字のデータ（情報信号の題名や長さなどを示すもの）や、主たる記録情報に関連した時刻を示す時刻データ（記録された時刻などを示すもの）や、主たる記録情報についてクラス分類適応処理を行うための係数データまたは係数種データなどがある。
【００３４】
この記録媒体は、ピット６内よりディスク基体１の主面部に略平行な方向に光を導くため、各ピット６の底部に、ディスク基体１の主面部に対して略４５°の角度を有して傾斜された光反射部材１３が配設されている。この光反射部材１３としては、マイクロハーフミラー（微細なハーフミラー）素材を用いることができる。
【００３５】
この記録媒体において、再生装置の光学ピックアップ装置９によりピット６に光束が照射されると、この光束は、ピット６の底部において光反射部材１３によって反射され、ディスク基体１の主面部に略平行な方向に導かれる。このようにして光反射部材１３により反射された光束は、信号記録層２及び他の光反射部材１３を透過して、記録媒体の外周縁部、または、透孔１ａの内周縁部から出射される。この記録媒体においては、信号記録層２は、光を透過させる材料によって形成されている。
【００３６】
光反射部材１３は、ハーフミラー素材からなるので、図７に示すように、ディスク基体１の主面部に略垂直に入射された光束を反射させるが、他の光反射部材１３によってすでに反射されてディスク基体１の主面部に略平行に進行している光束は透過させる。すなわち、この光反射部材１３は、光学ピックアップ装置からの光束が入射される側が反射面となされ、他の光反射部材１３によってすでに反射された光束が入射される側が透過面となされている。したがって、各光反射部材１３によって反射された光束は、それぞれが記録媒体の外周縁部、または、透孔１ａの内周縁部まで導かれることとなる。
【００３７】
記録媒体の外周縁部、または、透孔１ａの内周縁部において、その光束は、反射された光反射部材１３の位置、すなわち、その光反射部材１３が設けられているピットの深さに応じた位置に出射される。
【００３８】
したがって、記録媒体の外周縁部、または、透孔１ａの内周縁部において、信号記録層に対するどのような高さ位置から光束が出射されているかを検出すれば、そのとき光束を照射されているピット６の深さを検出することができる。
【００３９】
また、この記録媒体においては、図８に示すように、各ピット６の底部をディスク基体１の主面部に対して傾斜された光反射部１４としてもよい。この場合には、この光反射部１４は、上述の光反射部材１３と同様に、ディスク基体１の主面部に対して略４５°の角度をなして傾斜された半透過面（ハーフミラー）となされている。この場合にも、上述の光反射部材１３を設けた場合と同様の作用が得られる。
【００４０】
（２）情報信号の記録方法
上述のように、光反射部材１３、または、光反射部１４を設けた記録媒体においては、第１の情報信号については、信号記録面２に形成するピット２の位置によって記録する。そして、このピット６の深さを数段階の異なるものとすることにより、第２の情報信号を記録する。
【００４１】
図８に示すように、ピット６の深さが３段階の異なるものとなっている場合において、再生装置の光学ピックアップ装置９により、ピット６に光束が照射されていないときには、いずれの高さ位置からも光束は出射されず、第１の情報信号についての読出しデータは「０」となり、第２の情報信号についての読出しデータは「０００」となる。図９に示すように、最も浅いピット６に光束が照射されると、信号記録層２の表面部に最も近い位置から光束が出射され、第１の情報信号についての読出しデータは「１」となり、第２の情報信号についての読出しデータは「００１」となる。２番目に浅いピット６に光束が照射されると、中間の高さ位置から光束が出射され、第１の情報信号についての読出しデータは「１」となり、第２の情報信号についての読出しデータは「０１０」となる。図１０に示すように、最も深いピット６に光束が照射されると、最も深い位置から光束が出射され、第１の情報信号についての読出しデータは「１」となり、第２の情報信号についての読出しデータは「１００」となる。
【００４２】
（３）再生装置の構成
本発明に係る再生装置は、図１１に示すように、上述の記録媒体の中心部の透孔１ａに嵌入されて記録媒体を支持する回転軸８を有している。この回転軸８は、図示しないモータにより回転操作され、支持している記録媒体とともに回転する。
【００４３】
この記録装置は、回転軸８に支持された記録媒体の主面部に対向して、光学ピックアップ装置９が設けられている。この光学ピックアップ装置９は、光源と、この光源から発せられる光束を記録媒体の信号記録層上に集光させる光学系と、信号記録層からの反射光束を光学系を介して検出する光検出器とを有している。この光学ピックアップ装置９は、支持機構１０によって支持されることにより、記録媒体の径方向及び記録媒体に対する接離方向に移動可能となっている。この光学ピックアップ装置９は、光検出器により検出される光検出信号に基づいて、記録媒体の径方向（トラッキング方向）及び記録媒体に対する接離方向（フォーカス方向）について、回転される記録媒体における偏芯及びいわゆる面ぶれに追従するトラッキングサーボ動作及びフォーカスサーボ動作を行う。
【００４４】
この再生装置は、光学ピックアップ装置９に対して、連結アーム１１を介して連結されて支持された検出器１２が設けられている。この検出器１２は、高感度の光検出素子を有しており、記録媒体の外周縁部から出射される光束を検出する。この検出器１２は、支持アーム部１１を介して、光学ピックアップ装置９におけるフォーカスサーボ動作に同期して移動される。すなわち、この検出器１２は、記録媒体の回転に伴ういわゆる面ぶれに追従して移動操作され、常に、記録媒体の外周縁部に対向している状態とされる。
【００４５】
この検出器１２は、記録媒体の外周縁部の各高さ位置について個別的に光束の出射の有無を検出する。したがって、この検出器１２におけるピットの深さの段階数に相当するビット数の２値信号と、光学ピックアップ装置９において読み出されるアドレス情報とを照合させることにより、記録媒体におけるピットごとの深さを検出することができる。
【００４６】
（４）再生動作
この再生装置は、検出器１２により検出されて出力される信号が、そのまま付加情報信号となる。信号記録層におけるピットの深さの段階がｎ段階あれば、ｎ＋１通りのデータすなわち、「０００・・・０００」、「０００・・・００１」、「０００・・・０１０」・・・・・「０１０・・・０００」、「１００・・・０００」という情報を付加情報として読み出すことが可能である。
【００４７】
なお、上述した再生装置において、記録媒体として、ピット６に照射された光束がディスク基体１の主面部に略平行な方向に導かれてこの記録媒体の透孔１ａの内周縁部に出射されるものを用いる場合には、検出器１２を、回転軸８の内部に、この回転軸８とともに回転しない状態に固定して、設けるようにする。この場合には、記録媒体の透孔１ａの内周縁部の位置は回転軸８に対する高さ位置として正確な位置に位置決めされ、いわゆる面ぶれを生ずることがないので、検出器１２を光学ピックアップ装置９におけるフォーカスサーボ動作に同期させる必要はなく、固定して配置することができる。
【００４８】
【発明の効果】
上述のように、本発明に係る記録媒体においては、第１の情報信号がピットの有無の検出によって読み出され、第２の情報信号がピット内より基体の主面部に略平行な方向に導かれた光によるピットの深さの検出によって読み出されるので、一の記録媒体に記録される情報信号の容量を大きくすることができる。
【００４９】
また、本発明に係る再生装置においては、第１の読出手段によって第１の情報信号がピットの有無の検出により読み出され、第２の読出手段によって第２の情報信号がピット内より基体の主面部に略平行な方向に導かれた光によるピットの深さの検出により読み出されるので、一の記録媒体から読み出される情報信号の容量を大きくすることができる。
【００５０】
すなわち、本発明は、対物レンズの開口数（ＮＡ）、光束の波長及び媒体の大きさを変えることなく、記録できる情報信号の容量をより大きくできる記録媒体及びこのような記録媒体から情報信号の読出しを行う再生装置を提供することができる。
【図面の簡単な説明】
【図１】
本発明に係る記録媒体の構成を示す要部断面図である。
【図２】
上記記録媒体に対して本発明に係る再生装置において光束の照射が行われている状態（付加情報が００００である状態）を示す要部断面である。
【図３】
上記記録媒体に対して本発明に係る再生装置において光束の照射が行われている状態（付加情報が００１１である状態）を示す要部断面である。
【図４】
上記記録媒体に対して本発明に係る再生装置において光束の照射が行われている状態（付加情報が０１１１である状態）を示す要部断面である。
【図５】
上記再生装置の構成を示す側面図である。
【図６】
本発明に係る記録媒体の構成の他の形態を示す要部断面図である。
【図７】
上記図６に示した記録媒体における要部の構成を示す要部断面図である。
【図８】
上記図６に示した記録媒体に対して本発明に係る再生装置において光束の照射が行われている状態（付加情報が０００である状態）を示す要部断面である。
【図９】
上記図６に示した記録媒体に対して本発明に係る再生装置において光束の照射が行われている状態（付加情報が００１である状態）を示す要部断面である。
【図１０】
上記図６に示した記録媒体に対して本発明に係る再生装置において光束の照射が行われている状態（付加情報が１００である状態）を示す要部断面である。
【図１１】
上記図６に示した記録媒体を用いる本発明に係る再生装置の構成を示す側面図である。
【図１２】
従来の記録媒体の構成を示す要部断面図である。
【符号の説明】
１  ディスク基体、２  信号記録層、６  ピット、７  光ファイバ、８  回転軸、９  光学ピックアップ装置、１２  検出器、１３  光反射部材、１４  光反射部